(57)【要約】【課題】両切断刃による帯状の被切断体の切断の際に、被切断体の外側への逃げを抑えつつ切断体からの反力を抑えて、長期にわたってスムーズな切断を可能にするカッター装置を提供する。【解決手段】カッター装置１０は、長尺の薄板形状で幅方向の一方側縁が刃部として形成されている一対の第１及び第２切断刃１５，２１を設けており、第１及び第２切断刃１５，２１の本体部１８，２５は、長手方向に対して全体として円弧状に湾曲している。第１切断刃１５は、本体部１８の凹状の側縁側に刃部１９を設けている。第２切断刃２１は、本体部２５の凸状の側縁側に刃部２６を設けている。第１及び第２切断刃１５，２１は、互いの刃部１９，２６が対向するように取付部１６，２２にて支持部１２に取り付けられており、第２切断刃２１が電動モータの回転軸と一体で回転するようにされている。【選択図】図１
0003124920.tif 000002
【実用新案登録請求の範囲】
【請求項１】
長尺の薄板形状で幅方向の一方の側縁側に刃部が形成されている一対の切断刃が、互いの該刃部が対向するように長手方向一端側の取付部にて駆動装置の支持部に取り付けられて、該一対の切断刃の刃部を交差させることにより帯状被切断体を切断するカッター装置において、前記一方の切断刃は刃部の側縁が凹状に湾曲しており、前記他方の切断刃は刃部の側縁が凸状に湾曲していることを特徴とするカッター装置。
【請求項２】
前記一方の切断刃の刃部における凹状の側縁は、前記取付部を中心とした長手方向に対する傾斜角度が、根元側においてほぼ０°であり、先端側に向けて徐々に大きくなるように形成されたことを特徴とする請求項１に記載のカッター装置。
【考案の詳細な説明】
【技術分野】
【０００１】
本考案は、長尺の薄板形状で幅方向の一方の側縁側に刃部が形成されている一対の切断刃により、帯状被切断体である薬剤や飴菓子等を包んで帯状に連なった包装紙等を切断するカッター装置に関する。
【背景技術】
【０００２】
従来、この種のカッター装置としては、例えば特許文献１に示すように、共通する支持軸を支点として相反する方向に所要回転角で反復回動する一対のホルダーと、これらホルダーに刃部を対向するようにして装着される一対の切断刃と、ホルダーを回動させる駆動手段とを備えたものが知られている。このカッター装置は、ホルダーと一体に形成されるアームの先端部を駆動手段のモータで回転駆動されるカムにより同調して所要回転角反復駆動させ、間歇的に両切断刃にて連続供給される包装体を切断するものである。
【特許文献１】特開２００５−３４９５１１
【０００３】
ところで、上記従来のカッター装置は、一対の切断刃がいずれも真直ぐでありその幅方向一方側縁側に設けた刃部も真直ぐになっている。通常は、両切断刃を効率よく利用するためにその根元側から帯状被切断体が切断されるが、根元側においては両切断刃間の交差角度が大きくなり、被切断体に径方向外方に向けた力が作用して被切断体が外側に逃げやすくなるため、切断が不安定になる。これに対して、両切断刃の根元から離れた位置で切断することも考えられ、これにより両切断刃間の交差角度が小さくなり、被切断体に作用する径方向外方に向けた力が小さくなって被切断体が外側に逃げにくくなる。しかし、この場合、両切断刃と被切断体との接触部分が長くなり被切断体からの反力が大きくなるため、切断が困難になりまた切断による発熱も大きくなる。また、切断刃の根元から離れた位置から切断を開始するのでは、切断刃の根元部分が無駄になると共に、切断刃全体の長さが不必要に長くなるという問題もある。
【考案の開示】
【考案が解決しようとする課題】
【０００４】
本考案は、上記問題を解決しようとするもので、両切断刃による帯状の被切断体の切断の際に、被切断体の外側への逃げを抑えつつ被切断体からの反力を抑えて、長期にわたってスムーズな切断を可能にするカッター装置を提供することを目的とする。
【課題を解決するための手段】
【０００５】
上記目的を達成するために本考案の構成上の特徴は、長尺の薄板形状で幅方向の一方の側縁側に刃部が形成されている一対の切断刃が、互いの刃部が対向するように長手方向一端側の取付部にて駆動装置の支持部に取り付けられて、一対の切断刃の刃部を交差させることにより帯状被切断体を切断するカッター装置において、一方の切断刃は刃部の側縁が凹状に湾曲しており、他方の切断刃は刃部の側縁が凸状に湾曲していることにある。
【０００６】
上記のように本考案を構成したことにより、他方の切断刃の刃部の側縁が凸状に湾曲していることにより、凸状に湾曲した刃部と帯状被切断体との接触する長さが短くなる。そのため、一対の切断刃による切断の際に、被切断体から切断刃に加えられる反力が相対的に小さくなり、スムーズな切断が行われると共に切断による発熱も抑えられる。また、両切断刃の根元側で帯状被切断体を切断する際、両切断刃によって被切断体に切断刃の長手方向外方に向けた力が作用しても、一方の切断刃の刃部の凹状側縁によって被切断体の外方への逃げが抑えられるため、切断刃の根元側での切断が安定して行われる。
【０００７】
また、本考案において、一方の切断刃の刃部における凹状の側縁は、取付部を中心とした長手方向に対する傾斜角度が、根元側においてほぼ０°であり、先端側に向けて徐々に大きくなるように形成されることが好ましい。これにより、一方の切断刃の刃部の凹状側縁によって被切断体の外方への逃げを抑える効果が一層高められ、切断がさらに安定して行われる。
【考案の効果】
【０００８】
本考案においては、他方の切断刃の凸状に湾曲した刃部と帯状被切断体との接触する長さが短くなることにより、切断により被切断体から切断刃に加えられる反力が相対的に小さくなり、スムーズな切断が行われると共に切断による発熱も抑えられるため、切断刃の長期にわたっての耐久性が確保されると共に、切断刃に要するコストも相対的に低減する。また、本考案においては、一方の切断刃の刃部の凹状側縁によって被切断体の外方への逃げが抑えられるため、切断刃の根元側からの切断が安定して行われ、切断刃全体が有効に活用される。
【考案を実施するための最良の形態】
【０００９】
以下、本考案の一実施例を図面を用いて説明する。図１〜図４は、実施例に係るカッター装置の要部である一対の切断刃の取付部分について、その切断動作前、切断動作途中１、切断動作途中２、切断動作後の状態を正面図により示したものであり、図５、図６は、受け側の切断刃、切断側の切断刃を正面図により示したものである。カッター装置１０は、駆動モータを含む駆動装置を構成するハウジングの正面板部１１から、図示しない駆動モータの回転軸に対して同軸的に突出した筒状の支持部１２を設けており、支持部１２に一方の切断刃である受け側の第１切断刃１５と他方の切断刃である切断側の第２切断刃２１が取り付けられている。
【００１０】
第１切断刃１５は、図５に示すように、長尺状の薄板であり、長方形状の取付部１６と、取付部１６の一方の短辺（図５の右辺）から同一面上に延びた円弧板状の本体部１８とを一体で有している。取付部１６の中央には、円形で大径の挿入穴１７ａが取付部１６を貫通して設けられており、その長手方向両側には円形の小孔である取付孔１７ｂが取付部１６を貫通して設けられている。本体部１８は、取付部１６の幅方向一端（図５の下端）から幅方向長さの略１／２の範囲において延出しており、かつ取付部１６の長手方向に対して全体として幅方向他端（図５の上端）方向に向けて円弧状に湾曲した形状となっている。また、本体部１８は、表面側（図５の前面側）が平坦であり、根元側から先端側に向けて幅が連続してわずかずつ小さくなるようになっており、一方の側縁側（図５の上側）の根元近傍から先端の間に刃部１９を設けている。刃部１９は、裏面側（図５の背面側）にて幅方向中間から中央側の側縁にかけて小さな傾斜角度で傾斜して厚さが徐々に薄くなり、さらに側縁近傍１９ａからは大きな傾斜角度で傾斜して尖った形状になるように形成されている。さらに、第１切断刃１５の刃部１９を設けた凹状側縁は、挿入孔１７ａを中心とした長手方向に対する傾斜角度が、根元側においてはほぼ０°（±５°付近）になっており、先端側に向けて徐々に大きくなるように形成されている。
【００１１】
第２切断刃２１は、図６に示すように、長尺状の薄板であり、長方形状の取付部２２と、取付部２２の一方の短辺（図６の右辺）全体から同一面上に延出した全体として円弧状に湾曲した本体部２５とを一体で有している。詳しくは、本体部２５は、根元部から長手方向略中間部までは長手方向に対して幅方向一端（図６の下端）方向に向けて円弧状に湾曲しており、さらに長手方向略中間部から先端までは長手方向に対して幅方向他端（図６の上端）方向に向けて円弧状に湾曲した形状となっている。さらに、本体部２５は、裏面側（図６の背面側）が平坦であり、長手方向略中間部から先端側に向けて幅が連続してわずかずつ小さくなるようになっており、一方の側縁側（図６の下側）の根元近傍から先端の間に刃部２６を設けている。
【００１２】
刃部２６は、表面側（図６の前面側）にて幅方向中間から一端側縁にかけて小さな傾斜角度で傾斜して厚さが徐々に薄くなり、さらに側縁近傍２６ａからは大きな傾斜角度で傾斜して尖った形状になるように形成されている。取付部２２の裏面側（図６の背面側）には、略長方形で一部が本体部２５内に拡がった裏面側からわずかに凹んだ取付凹部２３を設けており、取付凹部２３には異形の挿入穴２３ａが貫通して設けられている。挿入穴２３ａは、円形部分と、円形部分の長手方向両側から直線状にわずかに延びた直線部分とを一体で有している。取付凹部２３内の挿入穴２３ａを挟んだ長手方向両側には、一対の小孔２４が貫通して設けられている。
【００１３】
上記カッター装置１０の支持部１２は、ハウジングの正面板部１１に固定された筒状の固定軸部１３と、固定軸部１３の中央に駆動モータの回転軸（図示しない）に固定されて回転軸と一体で回転可能にされた円柱状の回転軸部１４とを有している。固定軸部１３の先端は上記挿入穴１７ａが挿嵌される円形の突起になっており、また回転軸部１４の先端は固定軸部１３以上に突出し、上記挿入穴２３ａが緊密に挿嵌される異形の突起になっている。そして、回転軸部１４の先端の中央はさらに突出し逆ねじ雄ねじ（図示しない）が形成されている。第１切断刃１５は、図１に示すように、刃部１９を上に向けて挿入穴１７ａにて固定軸部１３の突起に嵌め合わされて、取付穴１７ｂにより固定軸部１３に固定される。第２切断刃２１は、図１に示すように、刃部２６を下に向けて挿入穴２３ａにて回転軸部１４の突起部に嵌め合わされて、前記逆ねじ雄ねじに螺合するナット（図示しない）により締め付け、第１切断刃１５に重ね合わされた状態で回転軸部１４に固定されて、回転軸部１４と一体で右回り方向（図示矢印Ｒ方向）に回転するようにされている。
【００１４】
上記構成の実施例においては、図１から図４に示すように、固定軸部１３に固定されて刃部１９を上に向けて配置された第１切断刃１５の本体部１８の根元側において、飴菓子等を包んだ帯状に連なった被切断体Ｃが刃部１９上に一定ピッチで連続して供給される。さらに、回転軸部１４に固定された第２切断刃２１が、帯状被切断体Ｃの送りピッチに合わせた回転周期の電動モータに合わせて矢印Ｒ方向に回転することにより、帯状被切断体Ｃを第１切断刃１５と挟んで切断し、単一の包装物に分離することができる。さらに詳細には、第１切断刃１５の刃部１９の側縁側と第２切断刃２１の刃部２６の側縁側とが互いに接触交差して被切断体Ｃを切断するので、第１切断刃１５の本体部１８の平坦な表面側（図５の前面側）および第２切断刃２１の本体部２５の平坦な裏面側（図６の背面側）は、刃部１９の側縁側と刃部２６の側縁側とが接触し他の部分は離間するよう、相互の平坦面はわずかに傾斜している。これにより、第１切断刃１５と第２切断刃２１とで帯状の被切断体Ｃをせん断切断し、単一の包装物に分離することができる。
【００１５】
本実施例においては、第１及び第２切断刃１５，２１の根元側で帯状被切断体Ｃを切断する際、両切断刃１５，２１によって被切断体Ｃに径方向外方に向けた力が作用しても、凹状の側縁になっている刃部１９で被切断体Ｃの外側への逃げが押さえられるため、切断刃１５，２１の根元側での切断が安定して行われ、反力が相対的に小さくなり、スムーズな切断が行われると共に切断による発熱も抑えられる。その結果、本実施例においては、第１及び第２切断刃１５，２１の長期にわたっての耐久性が確保されると共に、切断刃に要するコストも相対的に低減する。
【００１６】
また、本考案において、第１切断刃１５の刃部１９を設けた凹状側縁は、挿入穴１７ａを中心とした径方向に対する傾斜角度が、根元側においてはほぼ０°と小さく、先端側に向けて徐々に大きくなるように形成されていることにより、特に刃部１９で被切断体の外側への逃げが効果的に抑えられて切断が安定して行われる等の効果が一層確実に得られる。
【００１７】
なお、上記実施例においては、第１切断刃１５が取付軸に固定され、第２切断刃が電動モータの回転軸に直結する取付軸に固定されて回転するようになっているが、逆に第１切断刃を回転させ第２切断刃を固定させることも可能である。また、第１及び第２切断刃を、上記特許文献１に示すように、共通する支持軸を支点として相反する方向に所要回転角で反復回動する一対のホルダーに刃部を対向するようにして装着させ、ホルダーを駆動手段によって所要回転角で反復駆動させ、間歇的に両切断刃にて連続供給される包装体を切断させるようにしてもよい。また、第１及び第２切断刃については、全体が円弧状に湾曲している必要はなく、刃部の設けられる側縁側のみを凹状，凸状の湾曲形状にすることも可能である。その他、上記実施例に示したカッター装置において、第１及び第２切断刃等の構造については一例であり、本考案の主旨を逸脱しない範囲で、種々変更して実施することができる。
【産業上の利用可能性】
【００１８】
本考案は、凹状の側縁になっている刃部で被切断体の外側への逃げが押さえられるため、切断刃の根元側での切断が安定して行われ、切断により被切断体から切断刃に加えられる反力が相対的に小さくなり、スムーズな切断が行われると共に切断による発熱も抑えられるため、切断刃の長期にわたっての耐久性が確保されると共に、切断刃に要するコストも相対的に低減するので、有用である。
【図面の簡単な説明】
【００１９】
【図１】本考案の一実施例に係るカッター装置の要部である第１及び第２切断刃の取付部分を示す正面図である。
【図２】同第１及び第２切断刃による切断動作途中１を示す正面図である。
【図３】同第１及び第２切断刃による切断動作途中２を示す正面図である。
【図４】同第１及び第２切断刃による切断動作終了状態を示す正面図である。
【図５】第１切断刃を示す正面図である。
【図６】第２切断刃を示す正面図である。
【符号の説明】
【００２０】
１０…カッター装置、１２…支持部、１５…第１切断刃、１６…取付部、１８…本体部、１９…刃部、２１…第２切断刃、２２…取付部、２５…本体部、２６…刃部。
【図１】
0003124920.tif 000003
【図２】
0003124920.tif 000004
【図３】
0003124920.tif 000005
【図４】
0003124920.tif 000006
【図５】
0003124920.tif 000007
【図６】
0003124920.tif 000008